(57)【要約】【課題】モアレが生じる可能性を極めて低減させ、かつ精度良く主走査倍率を合わせて画像を形成する。【解決手段】デジタル複写機は、全体の制御を司るＣＰＵ、スキャナ部、プリンタ部、画像処理変倍を含む画像処理を行う画像処理部とを有し、ＣＰＵは、スキャナ部の主走査倍率を９０．９％に調整し、画像処理部の画像処理変倍を１１０％にし、この変倍を組み合わせた画像データに基づいてプリンタ部で画像形成する制御を行う。【選択図】      図１
2007082221.tif 000002
【特許請求の範囲】
【請求項１】
原稿の画像をスキャナ部で読み込んで画像を形成する画像形成装置であって、
上記原稿の大きさと異なる大きさに読み込むように、上記スキャナ部の主走査倍率を調整する調整手段と、
この調整手段で調整された倍率で読み取られた画像データに対して、上記原稿の大きさと同じ大きさに画像処理変倍する画像処理手段と、
を具備する画像形成装置。
【請求項２】
上記画像処理手段は、モアレの周期が目立たない範囲に画像処理変倍することを特徴とする請求項１に記載の画像形成装置。
【請求項３】
上記画像処理手段は、モアレの周期が少なくとも３ｍｍ以下、好ましくは２ｍｍ以下、１ｍｍ以下、０．５ｍｍ以下に画像処理変倍することを特徴とする請求項１に記載の画像形成装置。
【請求項４】
上記画像処理手段は、モアレの周期が１６ｍｍ以上に画像処理変倍することを特徴とする請求項１に記載の画像形成装置。
【請求項５】
上記画像処理手段は、画像処理変倍が１％から１５％の範囲で拡大、好ましくは１０％に拡大する画像処理変倍を行うことを特徴とする請求項１に記載の画像形成装置。
【請求項６】
上記画像処理手段は、画像処理変倍が１％から１５％の範囲で縮小、好ましくは１０％に縮小する画像処理変倍を行うことを特徴とする請求項１に記載の画像形成装置。
【請求項７】
上記調整手段は、上記画像処理手段で画像処理変倍する倍率に対応して、上記スキャナ部の主走査倍率を調整することを特徴とする請求項１に記載の画像形成装置。
【請求項８】
上記調整手段は、９０％、８０％、７０％、６０％のいずれか、あるいは１００％より縮小する方向で上記スキャナ部の主走査倍率を調整することを特徴とする請求項１に記載の画像形成装置。
【請求項９】
上記画像処理手段は、上記調整手段で調整された倍率で読み取られた画像データに対して、上記原稿の大きさと同じ大きさに拡大する画像処理を行うことを特徴とする請求項１に記載の画像形成装置。
【請求項１０】
上記調整手段は、１１０％、１２０％、１３０％、１４０％のいずれか、あるいは１００％より拡大する方向で上記スキャナ部の主走査倍率を調整することを特徴とする請求項１に記載の画像形成装置。
【請求項１１】
、上記画像処理手段は、上記調整手段で調整された倍率で読み取られた画像データに対して、上記原稿の大きさと同じ大きさに縮小する画像処理を行うことを特徴とする請求項１に記載の画像形成装置。
【請求項１２】
原稿の画像をスキャナ部で読み込んで画像を形成する画像形成装置であって、
上記スキャナ部で読み込まれる画像データの倍率を設定操作する操作手段と、
この操作手段で設定された倍率とは異なる倍率で上記スキャナ部の主走査倍率を調整する調整手段と、
この調整手段で調整された倍率で読み取られた画像データに対して、上記操作手段で設定された倍率に画像処理する画像処理手段と、
を具備する画像形成装置。
【請求項１３】
原稿の画像をスキャナ部で読み込んで画像を形成する画像形成装置の画像形成方法おいて、
上記原稿の大きさと異なる大きさに読み込むように、上記スキャナ部の主走査倍率を調整する調整工程と、
この調整工程により調整された倍率で読み取られた画像データに対して、上記原稿の大きさと同じ大きさに画像処理変倍する画像処理工程とを有する画像形成装置の画像形成方法。
【発明の詳細な説明】
【技術分野】
【０００１】
この発明は、デジタル複写機等の原稿の画像を読み込んで画像を形成する画像形成装置と画像形成方法に関する。
【背景技術】
【０００２】
従来、引用文献１には、主走査方向の倍率の補正係数を自動的に求めることができるデジタル複写装置に関する特許が提案されている。このデジタル複写装置は、シェーディング補正用の白色基準板の直後に設けられた２本のマークを読み取り、この読み取った画像データを記憶する記憶手段と、この２本のマークの距離を計測する計測手段とを有する。その際、このデジタル複写装置は、前記記憶手段に記憶された画像データを印刷したものを再度読み取り、この読み取った画像データを前記記憶手段に記憶して２本のマークの距離を計測する。そして、先に計測した値と再度計測した値とから倍率調整の補正係数を求める。それにより、このデジタル複写装置は、倍率の補正値の算出を自動的に行うことができる。
【特許文献１】特開平９−２８４４７９号公報
【発明の開示】
【発明が解決しようとする課題】
【０００３】
しかしながら、従来のデジタル複写装置においては、機械的な機構により主走査倍率を合わせていた。主走査方向の倍率調整は、ＭＴＦ（ピント）特性と倍率特性のトレードオフとなっている。そのため、主走査方向の倍率を１００％に正確に合わせることには限界があり、±０．５％程度の誤差が生じていた。また、画像処理回路を用いて合わせる場合は、１００％の倍率近傍の微妙な変倍処理を画像処理で行うことになり、モアレが生じる可能性があるため適用が困難であった。
【０００４】
この発明は、モアレが生じる可能性を極めて低減させ、かつ精度良く主走査倍率を合わせて画像を形成する画像形成装置と画像形成方法を提供することを目的とする。
【課題を解決するための手段】
【０００５】
この発明は、原稿の画像をスキャナ部で読み込んで画像を形成する画像形成装置であって、上記原稿の大きさと異なる大きさに読み込むように、上記スキャナ部の主走査倍率を調整する調整手段と、この調整手段で調整された倍率で読み取られた画像データに対して、上記原稿の大きさと同じ大きさに画像処理変倍するものである。
【発明の効果】
【０００６】
以上詳述したように、この発明によれば、モアレが生じる可能性を極めて低減させ、かつ精度良く主走査倍率を合わせて画像を形成する画像形成装置と画像形成方法を提供できる。
【発明を実施するための最良の形態】
【０００７】
以下、この発明の一実施の形態について図面を参照して説明する。
【０００８】
図１は、この発明の画像形成装置に係るデジタル複写機の全体の構成を示すものである。すなわち、デジタル複写機１は、ＣＰＵ２０、スキャナ部２１、プリンタ部２２、画像処理部３０、ページメモリ４０、及び操作パネル５０とから構成されている。
【０００９】
ＣＰＵ２０は、スキャナ部２１とプリンタ部２２を含む全体の制御を司る。
【００１０】
画像処理部３０は、画像データの変倍を含む画像処理を行う。
【００１１】
ページメモリ４０は、画像データの１頁分あるいは２頁分を格納する。
【００１２】
操作パネル５０は、倍率の設定を含む各種操作を行う。
【００１３】
なお、ＣＰＵ２０と画像処理部３０とページメモリ４０とは、詳しくは後述するがＣＣＤ制御基板１２に構成されている。
【００１４】
図２は、スキャナ部２１の概略構成を示すものである。
【００１５】
スキャナ部２１は、光源２、光源２の配光分布を調整するためのリフレクタ３、及び第１ミラー４とで構成する第１キャリジ５、第２ミラー６と第３ミラー７とで構成する第２キャリジ８、集光レンズ９、ＣＣＤセンサ１０、ＣＣＤセンサ１０と図示しないセンサ駆動回路を実装したＣＣＤ基板１１、及びＣＰＵ２０と画像処理部３０とページメモリ４０とで構成されるＣＣＤ制御基板１２とから構成されている。
【００１６】
スキャナ部２１の動作を簡単に説明する。
【００１７】
原稿Ｏが原稿台ガラス１３上に置かれた際、その原稿Ｏは、原稿固定用カバー１４により原稿台ガラス１３に密着して固定される。続いて、例えば、蛍光灯やキセノンランプ、ハロゲンランプ等を用いる光源２が点灯され、原稿台ガラス１３を透過して原稿Ｏに光が照射される。原稿Ｏ上の読取位置Ｐの反射光は、原稿台ガラス１３を透過し、第１ミラー４、第２ミラー６、第３ミラー７で反射され、集光レンズ９を介してＣＣＤセンサ１０の受光面に結像される。
【００１８】
ＣＣＤセンサ１０の受光面に結像した原稿Ｏからの反射光は、ＣＣＤセンサ１０において光エネルギーから電気信号に変換され、後段のＣＣＤ制御基板１２上の画像処理部３０で各種処理が行われる。
【００１９】
第１キャリジ５と第２キャリジ８は、それぞれ速度２ＶとＶで図示する方向（図上右方向）に移動されることで、原稿Ｏ上の読取位置Ｐが移動する。その際、読取位置ＰからＣＣＤセンサ１０までの距離である光路長は、一定に保たれる。
【００２０】
次に、このような構成において、変倍について説明する。
【００２１】
変倍の影響によって主として発生するモアレは、サンプリングモアレである。
【００２２】
ここで、サンプリングのモアレが変倍で発生する理由を説明する。
【００２３】
例えば、６００ｄｐｉのスキャナを用いて１００．５％を画像処理で変倍した場合、１００．５％は、６０３ｄｐｉの解像度変換に相当する。このときのモアレ周期を計算すると下記のようになる。
【００２４】
６００／（６０３−６００）×０．０４２３ｍｍ＝８．４６ｍｍ
すなわち、モアレは、８．４６ｍｍの周期で発生する。
【００２５】
また、１０１％では、その半分の４．２３ｍｍの周期のモアレが発生し、このモアレは目立ちやすい。
【００２６】
図３は、１０１％拡大時のコピー画像でのモアレのイメージ例を示すものである。この場合、４．２３ｍｍの周期のモアレが発生してモアレが目立っている。
【００２７】
画像処理の変倍の影響によるモアレを目立たなくするには、拡大の倍率を大きくし、画像サンプリング処理によるモアレの原理的な周期を目にわからない程度に小さくしてしまう方法が考えられる。
【００２８】
例えば、１１０％は、６６０ｄｐｉの解像度変換に相当する。このときのモアレ周期は、０．４２３ｍｍとなり、１０１％時の処理に比べると画像サンプリング処理によるモアレは、ほとんど目立たなくなる。
【００２９】
図４は、１１０％拡大時のコピー画像でのモアレのイメージ例を示すものである。１１０％変倍時は画像サンプリング処理によるモアレが目立たない。
【００３０】
図３，４で示したようにモアレは、網点原稿をコピーしたときに特に目立ちやすくなる。
【００３１】
本発明は、スキャナの主走査倍率を故意に大きくずらし、１００％倍率の合わせこみを画像処理で行うようにしたものである。
【００３２】
そこで、画像処理部３０においては、モアレの周期が目立たない範囲に画像処理変倍する。モアレの周期が、少なくとも３ｍｍ以下、好ましくは２ｍｍ以下、１ｍｍ以下、０．５ｍｍ以下になるように画像処理変倍する。あるいは、モアレの周期が１６ｍｍ以上になるように画像処理変倍する。
【００３３】
また、画像処理部３０においては、画像処理変倍が１％から１５％の範囲で拡大、好ましくは１０％に拡大する画像処理変倍を行う。あるいは、画像処理変倍が１％から１５％の範囲で縮小、好ましくは１０％に縮小する画像処理変倍を行う。
【００３４】
そして、スキャナ部２１の主走査倍率は、画像処理部３０で画像処理変倍する倍率に対応して調整される。
【００３５】
あるいは、９０％、８０％、７０％、６０％のいずれか、あるいは１００％より縮小する方向でスキャナ部２１の主走査倍率を調整するようにしても良い。あるいは、１１０％、１２０％、１３０％、１４０％のいずれか、あるいは１００％より拡大する方向でスキャナ部２１の主走査倍率を調整するようにしても良い。この場合、画像処理部３０は、調整された倍率で読み取られた画像データに対して、原稿の大きさと同じ大きさである１００％になるように縮小または拡大する画像処理変倍を行う。
【００３６】
次に、具体的に実施例で説明する。
【００３７】
まず、スキャナ部２１の主走査倍率を９０．９％に調整し、画像処理部３０における画像処理を１１０％の変倍処理にし、変倍を組み合わせる。
【００３８】
すなわち、デジタル複写機１では、下記式のように変倍する。
【００３９】
０．９０９×１．１＝０．９９９
この式からわかるように、デジタル複写機１では、画像処理部３０を用いることにより０．１％の精度で倍率調整を行うことができる。それによって、画像サンプリング処理によるモアレが目立たない画像処理の適用が可能となる。
【００４０】
従来は、画像処理による変倍処理はモアレが発生するという理由で、画像処理部を１００％の倍率に調整するためには用いず、スキャナ部の機械的な調整で合わせこんでいた。そのため、スキャナ部の機械的な調整では、ＭＴＦ（ピント）特性とのトレードオフがあり、±０．５％の調整精度が限界であった。
【００４１】
本発明のデジタル複写機１では、微調整に画像処理部３０での画像処理変倍を積極的に用いるため、サンプリングモアレが目立ちにくい画像処理変倍の領域を用いて、±０．１％精度での主走査倍率調整を行うことができる。
【００４２】
上記実施例では、スキャナ部２１の主走査倍率を９０．９％にしたが、９０％、８０％、７０％、６０％のいずれか、あるいは１００％より縮小するようにしても良く、１１０％、１２０％、１３０％、１４０％のいずれか、あるいは１００％より拡大するようにしても良い。
【００４３】
これに対して、画像処理部３０は、縮小した場合は拡大し、拡大した場合は縮小する画像処理変倍を行う。
【００４４】
さらに、上記実施例では、原稿の大きさに対して１００％の大きさの画像形成について説明したが、操作パネル５０で設定された倍率に対して、この倍率と異なる倍率でスキャナ部２１の主走査倍率を調整し、この調整された倍率で読み取られた画像データに対して、操作パネル５０で設定された倍率に画像処理部３０で画像処理変倍することも可能である。
【００４５】
以上説明したように上記発明の実施の形態によれば、微調整に画像処理変倍を積極的に用いるため、サンプリングモアレが目立ちにくい画像処理変倍の領域に大きくスキャナ部の倍率をずらし、倍率調整の精度よりはＭＴＦ特性を優先してスキャナの調整をすることにより、画像処理で±０．１％精度での主走査倍率調整を行うことが可能となる。
【００４６】
それによって、ＭＴＦ特性と倍率精度の双方の両立が可能となる。
【００４７】
また、スキャナ部として大雑把に倍率を調整しても、画像処理により容易に１００％にするため、調整値が算出できるので、従来の方法に比べると倍率調整にかかる工数を大きく低減することができる。
【００４８】
さらに、倍率性能としては、主走査方向に３００ｍｍの長さをもつ原稿に対する倍率誤差が従来±１．５ｍｍ生じていたものが、±０．３ｍｍとすることが可能である。
【００４９】
結果として、通常想定される画像形成装置の性能としては、飛躍的な性能の改善が可能となり、実用上十分な性能を提供することができる。
【図面の簡単な説明】
【００５０】
【図１】図１は、この発明に係る画像形成装置の全体の構成を示すブロック図。
【図２】図２は、スキャナ部の概略構成を示す断面図。
【図３】図３は、１０１％拡大時のコピー画像でのモアレのイメージ例を示す図。
【図４】図４は、１１０％拡大時のコピー画像でのモアレのイメージ例を示す図。
【符号の説明】
【００５１】
１…デジタル複写機、２０…ＣＰＵ、２1…スキャナ部、２２…プリンタ部、３０…画像処理部、４０…ページメモリ、５０…操作パネル。
【図１】
2007082221.tif 000003
【図２】
2007082221.tif 000004
【図３】
2007082221.tif 000005
【図４】
2007082221.tif 000006